(57)【特許請求の範囲】
【請求項１】
電子デバイスにおいてチャネル条件を決定する方法であって、前記方法は、
第１の周期にしたがって、第１のチャネルのチャネル条件を周期的に決定することと、前記チャネル条件は、受信された信号電力または信号対雑音比のうちの少なくとも１つを具備し、前記第１のチャネルは、サービスを提供するセルのチャネルであり、
前記電子デバイスの条件を決定することと、前記決定することは、
前記第１のチャネルのチャネル条件の決定と同じ周期にしたがって、前記電子デバイスのスピードを周期的に決定することと、
前記電子デバイスが外部の電力供給から電力を受信しているかどうかを決定することと、
前記電子デバイスのバッテリーチャージレベルを決定することと、
を具備し、
前記電子デバイスの前記決定された条件に少なくとも部分的に基づいて前記第１の周期と異なる第２の周期を選択することと、
前記第２の周期にしたがって、前記第１のチャネルの前記チャネル条件を周期的に決定することと、
前記決定されたチャネル条件に少なくとも部分的に基づいて第２のチャネルによるサービスを開始することと、前記第２のチャネルは、近隣のセルにサービスを提供するチャネルである、
を具備する方法。
【請求項２】
前記第２の周期は、前記第１の周期よりも短い、請求項１に記載の方法。
【請求項３】
前記電子デバイスの前記条件は、ブール条件である、請求項１に記載の方法。
【請求項４】
前記電子デバイスの前記条件は、非ブール条件である、請求項１に記載の方法。
【請求項５】
前記第２の周期を選択することは、ルックアップテーブルを使用することを備える、請求項１に記載の方法。
【請求項６】
前記第２の周期を選択することは、少なくとも１つの入力変数として前記条件を含む数式を使用することを備える、請求項１に記載の方法。
【請求項７】
前記サービスを提供するセルおよび前記近隣のセルは、同じ無線通信方式のセルである、請求項１に記載の方法。
【請求項８】
前記サービスを提供するセルおよび前記近隣のセルは、異なる無線通信方式のセルである、請求項１に記載の方法。
【請求項９】
前記サービスを提供するセルおよび前記近隣のセルは、同じサービスプロバイダネットワークにおけるセルである、請求項１に記載の方法。
【請求項１０】
前記サービスを提供するセルおよび前記近隣のセルは、異なるサービスプロバイダネットワークのセルである、請求項１に記載の方法。
【請求項１１】
少なくとも１つのチャネル上で無線で通信するように構成されるトランシーバと、
外部の電力供給へ電子デバイスを接続するように構成されるジャックと、
バッテリーと、
速度センサと、
第１の周期にしたがって、第１のチャネルのチャネル条件を周期的に決定し、前記チャネル条件は、受信された信号電力または信号対雑音比のうちの少なくとも１つを具備し、前記第１のチャネルは、サービスを提供するセルのチャネルであり、
前記電子デバイスの条件を決定し、前記決定することは、
前記第１のチャネルのチャネル条件の決定と同じ周期にしたがって、前記電子デバイスのスピードを周期的に決定することと、
前記電子デバイスが外部の電力供給から電力を受信しているかどうかを決定することと、
前記電子デバイスのバッテリーチャージレベルを決定することと、
を具備し、
前記電子デバイスの前記決定された条件に少なくとも部分的に基づいて前記第１の周期と異なる第２の周期を選択し、
前記第２の周期にしたがって、前記第１のチャネルのうちの前記チャネル条件を周期的に決定し、および
前記決定されたチャネル条件に少なくとも部分的に基づいて第２のチャネルによるサービスを開始し、前記第２のチャネルは、近隣のセルにサービスを提供するチャネルである
ように構成されるプロセッサと
を具備する電子デバイス。
【請求項１２】
前記速度センサは、全地球測位システム（ＧＰＳ）、加速度計、または適応型パイロットフィルタリングモジュールのうちの少なくとも１つを具備する、請求項１１に記載の電子デバイス。
【請求項１３】
前記外部の電力供給から電磁波を通して電力を無線で受信するための電力インターフェースをさらに具備し、前記電子デバイスのチャージング条件は、前記電子デバイスが前記外部の電力供給から電力を受信しているかどうかを示す、請求項１１に記載の電子デバイス。
【請求項１４】
第１の周期にしたがって、第１のチャネルのチャネル条件を周期的に決定するための手段と、前記チャネル条件は、受信された信号電力または信号対雑音比のうちの少なくとも１つを具備し、前記第１のチャネルは、サービスを提供するセルのチャネルであり、
電子デバイスの条件を決定するための手段と、前記決定することは、
前記第１のチャネルのチャネル条件の決定と同じ周期にしたがって、前記電子デバイスのスピードを周期的に決定することと、
前記電子デバイスが外部の電力供給から電力を受信しているかどうかを決定することと、
前記電子デバイスのバッテリーチャージレベルを決定することと、
を具備し、
前記電子デバイスの前記決定された条件に少なくとも部分的に基づいて前記第１の周期と異なる第２の周期を選択するための手段と、
前記第２の周期にしたがって、前記第１のチャネルの前記チャネル条件を周期的に決定するための手段と、
前記決定されたチャネル条件に少なくとも部分的に基づいて第２のチャネルによるサービスを開始するための手段と、前記第２のチャネルは、近隣のセルにサービスを提供するチャネルである、
を具備する電子デバイス。
【請求項１５】
１つまたは複数のプロセッサによって実行されるとき、電子デバイスにおいてチャネル条件を決定する方法をコンピュータに実行させる命令を記憶するコンピュータ可読記憶媒体であって、前記方法は、
第１の周期にしたがって、第１のチャネルのチャネル条件を周期的に決定することと、前記チャネル条件は、受信された信号電力または信号対雑音比のうちの少なくとも１つを具備し、前記第１のチャネルは、サービスを提供するセルのチャネルであり、
前記電子デバイスの条件を決定することと、前記決定することは、
前記第１のチャネルのチャネル条件の決定と同じ周期にしたがって、前記電子デバイスのスピードを周期的に決定することと、
前記電子デバイスが外部の電力供給から電力を受信しているかどうかを決定することと、
前記電子デバイスのバッテリーチャージレベルを決定することと、
を具備し、
前記電子デバイスの前記決定された条件に少なくとも部分的に基づいて前記第１の周期と異なる第２の周期を選択することと、
前記第２の周期にしたがって、前記第１のチャネルの前記チャネル条件を周期的に決定することと、
前記決定されたチャネル条件に少なくとも部分的に基づいて第２のチャネルによるサービスを開始することと、前記第２のチャネルは、近隣のセルにサービスを提供するチャネルである、
を具備する、コンピュータ可読記憶媒体。
【発明の詳細な説明】
【技術分野】
【０００１】
本開示は、セルのチャネルをモニタすることおよびセルについて検索をすることに関係する。
【背景技術】
【０００２】
無線通信デバイスは、ある回路が使用されていない場合に、その回路に電力を供給しないことによってバッテリー電力を保存することができる。デバイスが、サービスを提供するセルのチャネルをモニタするまたは他のセルについて検索をすることを望む場合、特定の回路は、モニタリングオペレーションまたは検索オペレーションを実行するために電力を供給される必要がある。したがって、デバイスは、特定の回路が電力を供給される、非電力保存モード（non-power-conservation mode）と、特定の回路が電力を供給されない、電力保存モード（power-conservation mode）との間を繰り返す。したがって、デバイスは、電力保存モードにある間よりも非電力保存モードにある間に、バッテリーもしくは外部の電力ソースまたはその両方のいずれかからのより多くの電力を使用する。
【発明の概要】
【０００３】
本願発明のシステム、方法、およびデバイスの各々は、いくつかの態様を有し、それらのうちのいずれも、その望ましい特性の責任を単独で負わない。以下の特許請求の範囲によって表されるような本願発明の範囲を制限することなく、そのより顕著な特徴がこれから簡単に議論される。この議論を考慮したのち、および特に「発明の詳細な説明」という名称の項を読んだのち、当業者は、本願発明の特徴が、動的なセルの検索をどのように提供するのかを理解するだろう。
【０００４】
１つの態様は、電子デバイスにおいてチャネル条件を決定する方法であって、方法は、第１の周期にしたがって、少なくとも１つのチャネルのチャネル条件を周期的に決定することと、電子デバイスの条件を決定することと、電子デバイスの決定された条件に少なくとも部分的に基づいて第１の周期と異なる第２の周期を選択することと、第２の周期にしたがって、少なくとも１つのチャネルのチャネル条件を周期的に決定することとを具備する、方法である。
【０００５】
他の態様は、少なくとも１つのチャネル上で無線で通信するように構成されるトランシーバと、第１の周期にしたがって、チャネルの少なくとも１つのチャネル条件を周期的に決定し、電子デバイスの条件を決定し、電子デバイスの決定された条件に少なくとも部分的に基づいて第１の周期と異なる第２の周期を選択し、第２の周期にしたがって、複数のチャネルのうちの少なくとも１つのチャネルのチャネル条件を周期的に決定するように構成されるプロセッサとを具備する電子デバイスである。
【０００６】
他の態様は、第１の周期にしたがって、少なくとも１つのチャネルのチャネル条件を周期的に決定するための手段と、電子デバイスの条件を決定するための手段と、電子デバイスの決定された条件に少なくとも部分的に基づいて第１の周期と異なる第２の周期を選択するための手段と、第２の周期にしたがって、少なくとも１つのチャネルのチャネル条件を周期的に決定するための手段とを具備する電子デバイスである。
【０００７】
さらに他の態様は、１つまたは複数のプロセッサによって実行されるとき、電子デバイスにおいてチャネル条件を決定する方法をコンピュータに実行させる命令を記憶するコンピュータ可読媒体であって、方法は、第１の周期にしたがって、少なくとも１つのチャネルのチャネル条件を周期的に決定することと、電子デバイスの条件を決定することと、電子デバイスの決定された条件に少なくとも部分的に基づいて第１の周期と異なる第２の周期を選択することと、第２の周期にしたがって、少なくとも１つのチャネルのチャネル条件を周期的に決定することとを具備する、コンピュータ可読媒体である。
【０００８】
１つの態様は、セルについて検索をする方法であって、方法は、電子デバイスのチャージング条件を決定することと、チャージング条件に少なくとも部分的に基づいて検索持続時間を選択することと、あらかじめ決定された周期にしたがって、各周期内で検索持続時間の間セルについて周期的に検索をすることとを具備する方法である。
【０００９】
他の態様は、セルと無線で通信するように構成されるトランシーバと、電子デバイスのチャージング条件を決定し、チャージング条件に少なくとも部分的に基づいて検索持続時間を選択し、あらかじめ決定された周期にしたがって、各周期内で検索持続時間の間セルについて周期的に検索をするように構成されるプロセッサとを具備する電子デバイスである。
【００１０】
他の態様は、電子デバイスのチャージング条件を決定するための手段と、チャージング条件に少なくとも部分的に基づいて検索持続時間を選択するための手段と、あらかじめ決定された周期にしたがって、各周期内で検索持続時間の間セルについて周期的に検索をするための手段とを具備する電子デバイスである。
【００１１】
さらに他の態様は、１つまたは複数のプロセッサによって実行されるとき、セルについて検索をする方法をコンピュータに実行させる命令を記憶するコンピュータ可読媒体であって、方法は、電子デバイスのチャージング条件を決定することと、チャージング条件に少なくとも部分的に基づいて検索持続時間を選択することと、あらかじめ決定された周期にしたがって、各周期内で検索持続時間の間セルについて周期的に検索することとを具備する、コンピュータ可読媒体である。
【図面の簡単な説明】
【００１２】
【図１】図１は、無線通信デバイスの機能的なブロック図である。
【図２】図２は、２つのセルと通信状態にある無線通信デバイスの図である。
【図３Ａ】図３Ａは、ＤＲＸサイクルと等しいウェイクアップ周期をともなう再選択手順を例示する。
【図３Ｂ】図３Ｂは、ＤＲＸサイクル未満のウェイクアップ周期をともなう再選択手順を例示する。
【図４Ａ】図４Ａは、保存検索パターンを使用するセル検索のタイミング図を例示する。
【図４Ｂ】図４Ｂは、積極的な検索パターンを使用するセル検索のタイミング図を例示する。
【図４Ｃ】図４Ｃは、積極的な検索パターンを使用するセル検索の他のタイミング図を例示する。
【図５】図５は、チャネル条件を決定する方法を例示するフローチャートである。
【図６】図６は、セルについて検索をする方法を例示するフローチャートである。
【図７】図７は、セルについて検索をする他の方法を例示するフローチャートである。
【図８】図８は、電子デバイス内の電力を保存する方法を例示するフローチャートである。
【図９】図９は、電子デバイス内の電力を保存する他の方法を例示するフローチャートである。
【図１０】図１０は、電子デバイスのある条件に依拠する可能な検索方式を例示する概念的フローチャートである。
【発明の詳細な説明】
【００１３】
図１は、無線通信デバイスの機能的なブロック図である。無線通信デバイス１００は、メモリ１２０、入力デバイス１３０、および出力デバイス１４０とデータ通信状態にあるプロセッサ１１０を含む。プロセッサはさらに、モデム１５０およびトランシーバ１６０とデータ通信状態にある。トランシーバ１６０はまた、モデム１５０およびアンテナ１７０とデータ通信状態にある。無線通信デバイス１００およびそれらのもののコンポーネントは、バッテリー１８０および／または外部の電力ソースによって電力を供給される。いくつかの実施形態では、バッテリー１８０、またはそれらのものの一部は、電力インターフェース１９０を通して外部の電力ソースによって再充電可能である。別々に記述されるが、無線通信デバイス１００に関係して説明される機能的ブロックは、必ずしも別々の構造のエレメントである必要はないことが認識されるべきである。例えば、プロセッサ１１０およびメモリ１２０は、単一のチップ内で具体化されうる。同様に、プロセッサ１１０、モデム１５０、およびトランシーバ１６０のうちの２つ以上は、単一のチップ内で具体化されうる。
【００１４】
プロセッサ１１０は、汎用目的プロセッサ、デジタル信号プロセッサ（ＤＳＰ）、特定用途集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または本願において説明された機能を実行するように設計されたそれらのものの任意の適切な組み合わせでありうる。プロセッサはまた、コンピュータ計算デバイスの組み合わせ（例えば、ＤＳＰとマイクロプロセッサの組み合わせ）、複数のマイクロプロセッサ、ＤＳＰコアと関連する1つまたは複数のマイクロプロセッサ、または任意の他のそのような構成として実装されうる。
【００１５】
プロセッサ１１０は、１つまたは複数のバスを通して、メモリ１２０から情報を読み出す、またはメモリ１２０へ情報を書き込むためにメモリ１２０に結合されうる。プロセッサは、追加的に、または代替的に、プロセッサレジスタのようなメモリを含みうる。メモリ１２０は、異なるレベルが異なる容量およびアクセススピードを有する、マルチレベル階層キャッシュを含むプロセッサキャッシュを含みうる。メモリ１２０はまた、ランダムアクセスメモリ（ＲＡＭ）、他の揮発性記憶デバイス、または非揮発性記憶デバイスを含みうる。記憶装置は、ハードドライブ、コンパクトディスク（ＣＤ）またはデジタルビデオディスク（ＤＶＤ）のような光ディスク、フラッシュメモリ、フロッピー（登録商標）ディスク、磁気テープ、およびＺｉｐドライブを含みうる。
【００１６】
プロセッサ１１０はまた、入力デバイス１３０および出力デバイス１４０に結合され、それぞれ、無線通信デバイス１００のユーザから入力を受信し、無線通信デバイス１００のユーザへ出力を提供する。適切な入力デバイスは、次のものには制限されないが、キーボード、ボタン、キー、スイッチ、ポインティングデバイス、マウス、ジョイスティック、遠隔コントロール、赤外線検出器、ビデオカメラ（可能性として、例えば、手のジェスチャーまたは顔のジェスチャーを検出するためのビデオ処理ソフトウェアに結合される）、動き検出器、またはマイクロホン（可能性として、例えば、音声コマンドを検出するためにオーディオ処理ソフトウェアに結合される）を含む。適切な出力デバイスは、次のものには制限されないが、ディスプレイおよびプリンタを含む視覚的な出力デバイス、スピーカー、ヘッドホン、イヤホン、およびアラームを含むオーディオ出力デバイス、ならびにフォース・フィードバック・ゲーム・コントローラおよび振動するデバイスを含むハップティック出力デバイスを含む。
【００１７】
プロセッサ１１０はさらに、モデム１５０およびトランシーバ１６０に結合される。モデム１５０およびトランシーバ１６０は、１つまたは複数のエアインターフェース標準にしたがって、アンテナ１７０を介する無線送信のために、プロセッサ１１０によって生成されるデータを準備する。モデム１５０およびトランシーバ１６０はまた、１つまたは複数のエアインターフェース標準にしたがって、アンテナ１７０を通して受信されたデータを復調する。トランシーバは、送信機１６２、受信機１６４、またはその両方を含みうる。他の実施形態では、送信機１６２および受信機１６４は、２つの異なるコンポーネントである。モデム１５０およびトランシーバ１６０は、汎用目的プロセッサ、デジタル信号プロセッサ（ＤＳＰ）、特定用途集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または本願において説明された機能を実行するように設計されたそれらのものの任意の適切な組み合わせとして具体化されうる。
【００１８】
無線通信デバイス１００およびそれらのもののコンポーネントは、バッテリー１８０および／または外部の電力ソースによって電力を供給される。バッテリー１８０は、エネルギーを記憶する任意のデバイス、および特に科学エネルギーを格納し、それを電気エネルギーとして提供する任意のデバイスでありうる。バッテリー１８０は、リチウムポリマーバッテリー、リチウムイオンバッテリー、ニッケル金属水素化物バッテリー、またはニッケルカドミウムバッテリーを含む１つまたは複数のセカンダリーセル、またはアルカリバッテリー、リチウムバッテリー、酸化銀バッテリー、または亜鉛炭素バッテリーを含む１つまたは複数のプライマリセルを含みうる。外部の電力ソースは、コンセント、乗り物のシガーライターソケット、無線エネルギー伝送プラットフォーム、または太陽を含みうる。
【００１９】
いくつかの実施形態では、バッテリー１８０、またはそれらのものの一部は、電力インターフェース１９０を通して外部の電力ソースによって再充電可能である。電力インターフェース１９０は、バッテリーチャージャを接続するためのジャック、ニアフィールド無線エネルギー伝送のための誘導子、またはソーラーエネルギーを電気エネルギーに変換するための光電池パネルを含みうる。
【００２０】
いくつかの実施形態では、無線通信デバイス１００は、モバイル電話、携帯情報端末（ＰＤＡ）、携帯コンピュータ、ラップトップコンピュータ、無線データアクセスカード、ＧＰＳ受信機／ナビゲータ、カメラ、ＭＰ３プレイヤ、カムコーダ、ゲーム機、腕時計、時計、またはテレビである。
【００２１】
図２は、２つのセルと通信状態にある無線通信デバイス２１０の図である。無線通信デバイス２１０は、第１の通信リンク２３１を通して第１のセル２２１と通信し、第２の通信リンクを通して第２のセル２２２と通信する。第１のセル２２１は、第１の通信リンク２３１が使用可能である第１のカバレッジエリア２２３を有するのに対し、第２のセル２２２は、第２の通信リンク２３２が使用可能である第２のカバレッジエリア２２４を有する。図２に図示されるように、カバレッジエリア２２３、２２４は、少なくとも部分的にオーバーラップしうる。
【００２２】
図２では、無線通信デバイス２１０は、ベクトル２１６によって示される速度を有する乗り物２１２内である。無線通信デバイス２１０は、第２のカバレッジエリア２２４に向かって第１のカバレッジエリア２２３から乗り物２１２によって移動される。無線通信デバイス２１０はまた、車内のバッテリーチャージャ２１４を通して、乗り物のバッテリーのような、乗り物に含まれる外部の電力ソースによってチャージされる。
【００２３】
第１のセル２２１および第２のセル２２２は、同じサービスプロバイダネットワークにおける同じ技術（例えば、ＷＣＤＭＡまたはＧＳＭ（登録商標））のセル、同じサービスプロバイダネットワークにおける異なる技術（例えば、ＷＣＤＭＡおよびＧＳＭ）のセル、または異なるサービスプロバイダネットワークにおける同じ技術または異なる技術のセルでありうる。第１のセル２２１および第２のセル２２２は、緊急コールのみ、回路切り替え通信、またはパケット切り替え通信のような異なるサービスを提供しうる。
【００２４】
図２では、無線通信デバイス２１０は、第１のカバレッジエリア２２３内であり、第１の通信リンク２３１を通して第１のセル２２１とアクティブ通信状態にある。無線デバイスのユーザは、いくつかの理由から、第１のセル２２１との接続に加えて、または第１のセル２２１との接続に代わって、第２の通信リンク２３２を通して第２のセル２２２とのアクティブな接続を望みうる。例えば、第１のセル２２１は、「ローミング」ネットワークの一部でありうるのに対し、第２のセル２２２は、「ホーム」ネットワークの一部である。したがって、第２のセル２２２を使用するための請求料金レートは、第１のセル２２１のものよりは少ない。他の事例として、第１のセル２２１は、ＧＳＭのような第１の技術を使用しうるのに対し、第２のセル２２２は、ＷＣＭＤＡのような第２の技術を使用する。したがって、より良いパフォーマンスを提供する。
【００２５】
１つの実施形態では、無線通信デバイス２１０は、例えば、コールに従事していない、アクティブな使用状態にない間にその回路のほとんどをオフにすることによってバッテリー電力を保存するよう試みる。デバイス２１０が第１のセル２２１によってサービスを提供されており、他の（または好ましい）セルについて検索をすることを望む場合、検索オペレーションを実行するために特定の回路が電力を供給される必要がある。したがって、デバイス２１０は、「検索」（特定の回路が電力を供給される場合）と「スリープ」（特定の回路が電力を供給されていない場合）との間を繰り返す。この繰り返しは、検索と一定の検索−スリープデューティサイクルとの間の一定の周期と均一であることができるか、または周期およびデューティサイクルのいずれかまたはその両方が、可変であることができる。
【００２６】
デバイス２１０が、外部の電力供給から電力を受信している場合、またはデバイス２１０が、少なくともあらかじめ決定された閾値バッテリーチャージレベルにチャージされる場合、バッテリー電力を保存することは、さほど重要ではなく、デバイス２１０は、より早く第２のセル２２２を探し出すために、または移動による、第１のセル２２１との通信リンク２３１のチャネル条件における変化を追跡するため、および第２のセル２２２との通信リンク２３２のようなハンドオーバ候補について検索をするために、検索をする時間のより多くのフラクション（fraction）を費やす場合がある。
【００２７】
したがって、チャージング条件のようなデバイス２１０の条件に依拠して、デバイス２１０は、より高い検索／スリープデューティサイクルおよび／または検索の間のより短い周期をともなうより積極的（aggressive）な検索パターンを採用しうる。デバイスの関連する条件は、デバイス２１０が、外部の電力ソースによってチャージされているかどうか、デバイス２１０のバッテリーのバッテリーレベル、ＧＰＳまたは他の技術を通して推定されるようなデバイス２１０のスピード、チャネル条件の変動の測定、またはデバイス２１０の位置を含みうる。
【００２８】
ＷＣＤＭＡ休止セル再選択に関して１つの実施形態が以下で説明される。ＷＣＤＭＡシステムでは、携帯電話のようなユーザ装置（ＵＥ）は、休止（つまり、アクティブセルの状態にない）の間に非連続の受信（ＤＲＸ）モードで作動する。ＵＥは、サービスを提供するセルを再び獲得する、入電についてモニタする、近隣のセル（neighboring cells）について検索をする、およびある条件が満たされる場合、サービスを提供するセルを近隣のセルのうちの１つに変更するための再選択手順をトリガするために特定の回路に周期的に電力を供給する。再選択がトリガされない場合、ＵＥは、特定の回路の電力を落とし、次の「ウェイクアップ」インスタンスまで「スリープ」する。２つのウェイクアップの間の最大の周期は、ネットワークによって要求され、ＤＲＸサイクルと呼ばれる。ＤＲＸサイクルが長く、ＵＥが高速で移動している場合、信号条件は、２つのＤＲＸサイクルの間で変化しうる。サービングセル信号が次のＤＲＸサイクルの前に劣化する場合、サービングセルの再獲得は、失敗する場合があり、デバイスがそのＤＲＸサイクル内に、入電に関するページを受信した場合、ＵＥは、ページを逃すだろう。
【００２９】
１つの実施形態では、無線デバイスは、起きている間にそのスピードを推定し、スピードが、あらかじめ定義された閾値よりも上である場合、無線デバイスは、２つのウェイクアップの間の周期を低減する。したがって、ネットワークのＤＲＸサイクルによって要求されたウェイクアップに加えて、ＵＥはまた、信号を追跡し、サービングセルの再獲得のための調節を実行することと、必要ならば、再選択をトリガするために近隣のセルの測定を実行することとの間にウェイクアップする。
【００３０】
１つの実施形態では、ＵＥのスピードは、適応型パイロットフィルタリングを使用して推定される。ここで、フィルタ係数は、フィルタされたおよび瞬間の信号の間のエラーを最小にするために適応的に変更される。フィルタ係数の変動性は、とりわけ、ＵＥのスピードによって引き起こされるチャネル変更を示す。他の実施形態では、異なるウェイクアップ周期の間に決定されるＧＰＳの座標を使用してスピードが推定される。
【００３１】
上で説明された実施形態は、近隣のセルについての検索のために使用される特定の回路に電力を供給することおよびＵＥと、サービスを提供するセルおよび近隣のセルとの間のチャネル条件を得ることに費やされる追加の時間による電力の消費を増加し、バッテリー寿命を低減しうるが、この結果は、デバイスがチャージングしているときまたはバッテリーレベルがあらかじめ決定された閾値よりも上であるときのウェイクアップの間の周期を低減することのみによって軽減されうる。より頻繁なウェイクアップにより、デバイスは、サービングセルチップ位置における変更を追跡することで、再獲得失敗の可能性を低減し、望ましい近隣のセルを見つけ出す可能性を増加し、より積極的にサービスを提供するセルの信号の弱化を追跡し、およびＴｒｅｓｅｌタイマーによる再選択における遅延を低減しうる。したがって、ＤＲＸサイクルのパーセンテージを低減することは、ＵＥが弱いサービングセルにある。
【００３２】
図３Ａは、ＤＲＸサイクルと等しいウェイクアップ周期をともなう再選択手順を例示するのに対し、図３Ｂは、追加のウェイクアップ周期をともなう再選択手順を例示する。図３Ａおよび３Ｂの両方では、ＤＲＸサイクルは、２．５６秒である。
【００３３】
図３Ａでは、時間ゼロにおいて、無線デバイスは、第１のセルによってサービスされており、第２、近隣のセルについて検索をしている。ゼロＤＲＸサイクル３１０における図は、第２のセル３１２の受信された信号電力と比較して第１のセル３１１の受信された信号電力を図示する。ここで、第１のセル３１１の受信された信号電力は、第２のセル３１２の受信された信号電力未満であり、タイマーが開示される。１ＤＲＸサイクルあとの図３２０は、第１のセル３２１の受信された信号電力が、まだ第２のセル３２２の受信された信号電力未満であることを図示する。このポイントにおいて、タイマーがチェックされ、１ＤＲＸサイクルまたは２．５６秒と等しい。閾値が１秒であると仮定すると、タイマーは、閾値より大きく、再選択がトリガされる。再選択プロセスは、１つの実施形態では、０．５秒くらいかかる。ネットワークが１ＤＲＸサイクルあと入電についてページを送った場合、無線デバイスは、サービングセルの低い受信信号電力３２１により失敗する可能性が高い。第１と第２のＤＲＸサイクルの間に、再選択が完了し、無線デバイスは、第２のセルによってサービスを提供され、第１のセルを近隣のセルとして追跡している。２ＤＲＸサイクルあとの図３３０は、第１のセル３３１上で受信された信号電力は、まだ第２のセル３３２上で受信された信号電力未満であることを図示する。これは、現在無線デバイスにサービスを提供している。
【００３４】
図３Ｂでは、時間ゼロにおいて、無線デバイスは、第１のセルによってサービスを提供され、第２、近隣のセルについて検索をしている。ゼロＤＲＸサイクル３４０における図は、第２のセル３４２の受信された信号電力と比較して第１のセル３４１の受信された信号電力を図示する。図３Ａにおけるとおり、第１のセル３４１の受信された信号電力は、第２のセル３４２の受信された信号電力未満であり、タイマーが開始される。しかしながら、図３Ｂにおいて、第３の図３６０において図示されるように、１ＤＲＸサイクルあとにウェイクアップすることに加えて、第２の図３５０において図示されるように、無線デバイスは、０．５ＤＲＸサイクルあとにウェイクアップする。０．５ＤＲＸサイクルあとの図３５０は、第１のセル３５１の受信された信号電力が、まだ第２のセル３５２の受信された信号電力未満であることを図示する。このポイントにおいて、タイマーがチェックされ、０．５ＤＲＸサイクル、または１．２８秒と等しい。再び、閾値が１秒と仮定すると、タイマーは、閾値よりも大きく、再選択がトリガされる。１つの実施形態では、再選択プロセスは、０．５秒くらいかかる。第１のＤＲＸサイクルが終わる前に、再選択が完了し、無線デバイスは、第２のセルによってサービスを提供され、第１のセルを近隣のセルとして追跡している。
【００３５】
１ＤＲＸサイクルあとの図３６０は、第１のセル３６１上の受信された信号電力は、まだ第２のセル３６２上の受信された信号電力未満であることを図示する。これは、現在無線デバイスにサービスを提供している。ネットワークが１ＤＲＸサイクルあと入電についてページを送信した場合、無線デバイスは、サービングセルの高い受信信号電力３６２により、それを受信する可能性がある。１．５ＤＲＸサイクルあとの図３７０は、第１のセル３７１上の受信された信号電力が、まだ第２のセル３７２上の受信された信号電力未満であることを図示する。同様に、２ＤＲＸサイクルあとの図３８０は、第１のセル３８１上の受信された信号電力が、まだ第２のセル３８２上の受信された信号電力未満であることを図示する。
【００３６】
他の実施形態は、ＷＣＤＭＡセル検索に関係して以下で説明される。ＷＣＤＭＡ  ＵＥは、ＵＳＩＭカードにプログラムされたホームＰＬＭＮ（サービスプロバイダに対応する）を有する。加えて、ＵＥがホームＰＬＭＮセル上でレジスタするとき、ネットワークは、等価のＰＬＭＮおよび禁止されたＰＬＭＮのリストをＵＥへ送信しうる。ホームＰＬＭＮ、等価のＰＬＭＮ、または禁止されたＰＬＭＮのいずれでもないＰＬＭＮが、ビジターＰＬＭＮである。ＵＥがそのホームＰＬＭＮからのサービスを失い、サービスについて検索をする間にビジターＰＬＭＮ上でサービスを見つけ出した場合、ＵＥは、ローミングＵＥとしてビジターＰＬＭＮによってサービスを提供されうる。休止モードでは、ＵＥは、ページングチャネルをモニタし、および再選択について検索を実行するために、ビジターＰＬＭＮセルによってシグナルされるＤＲＸサイクルに従う。ビジターＶＰＭＮによってサービスを提供されている間に、ＵＥは、同じまたは異なる周波数上でホームＰＬＭＮセルについて検索をしうる。典型的に、ビジターＰＬＭＮによってサービスを提供されている間、ＵＥは、ビジターＰＬＭＮセルページングチャネルをモニタし、再選択測定を実行するためにウェイクアップし、その後、スリープに戻る前にホームＰＬＭＮセルについて検索をする。ホームＰＬＭＮセルについて検索をするために、ＵＥは、ある回路が長い時間の間電力を供給されることを保ち、それによって、スリープ／検索デューティサイクルを増加し、追加のバッテリー電力を使用する。
【００３７】
バッテリー電力保存の関係により、ホームＰＬＭＮ検索時間が制限される。しかしながら、ＵＥが外部の電力供給によりチャージされている場合、またはバッテリーレベルが、あらかじめ決定された閾値より上である場合、電力保存は、それほど問題ではなく、デバイスは、ホームＰＬＭＮセルについて検索をすることに、より長い時間費やしうる。したがって、デバイスのチャージング状態は、より高いスリープ／検索デューティサイクルを可能にさせ、より早くホームＰＬＭＮセルを見つけ出す機会を増加させることができる。
【００３８】
図４Ａは、保存検索パターンを使用するセル検索のタイミング図を例示する。１つの実施形態では、そのようなセル検索パターンを使用する無線デバイスは、ビジターＰＬＭＮによってサービスを提供されており、ホームＰＬＭＮについて検索をしている。保存検索パターンは、バッテリーレベルが、あらかじめ決定された閾値未満である場合、または無線デバイスがチャージされていない場合のように電力保存が問題である場合に使用されうる。図４Ａのタイミング図は、第１のＤＲＸサイクル、Ｔ０をともなう。これは、無線デバイスがサービングセルを再び獲得し、入ってくるページについてモニタする間の時間周期、ＴＭをともなう。この時間の間、無線デバイスはまた、サービングＰＬＭＮの近隣のセルについてのチャネル状態を得るか、またはＧＰＳの座標または適応型のパイロットフィルタリングを使用してその位置またはスピードを決定するだろう。ＴＭの後に、無線デバイスがホームＰＬＭＮのセルについて検索をする間の他の時間周期、ＴＳが続き、ＴＳの後に、デバイスが、その回路のほとんどのスイッチをオフにすることによって電力保存モードに入る間の時間周期、ＴＰが続く。サイクルは、第２のＤＲＸサイクル、Ｔ１において繰り返す。
【００３９】
図４Ｂは、積極的な検索パターンを使用するセル検索のタイミング図を例示する。１つの実施形態では、そのようなセル検索パターンを使用する無線デバイスは、ビジターＰＬＭＮによってサービスを提供され、ホームＰＬＭＮについて検索をしている。積極的な検索パターンは、バッテリーレベルが、あらかじめ決定された閾値より上である場合、または無線デバイスがチャージされている場合のように、電力保存が問題でない場合に使用されうる。図４Ｂのタイミング図は、第１のＤＲＸサイクル、Ｔ０をともなう。これは、無線デバイスがサービングセルを再び獲得し、入ってくるページについてモニタする間の時間周期、ＴＭをともなう。上記のように、無線デバイスはまた、この時間の間に、サービスを提供するＰＬＭＮの近隣のセルについてのチャネル条件を得るか、またはＧＰＳの座標または適応型のパイロットフィルタリングを使用してその位置またはスピードを決定するだろう。さらに、上記のように、ＴＭの後に、無線デバイスがホームＰＬＭＮのセルについて検索をする間の他の時間周期、ＴＳが続き、ＴＳの後に、デバイスが、その回路のほとんどのスイッチをオフにすることによって電力保存モードに入る間の時間周期、ＴＰが続く。図４Ｂのタイミング図は、図４ＢにおけるＴＳが図４Ａにおいて対応する時間周期よりも長く、図４ＢにおけるＴＰが図４Ａにおいて対応する時間周期よりも短いことにおいて図４Ａのタイミング図とは異なる。図４Ａにおけるように、サイクルは、第２のＤＲＸサイクル、Ｔ１において繰り返す。
【００４０】
図４Ｃは、積極的な検索パターンを使用するセル検索の他のタイミング図を例示する。１つの実施形態では、そのようなセル検索パターンを使用する無線デバイスは、ビジターＰＬＭＮによってサービスを提供され、ホームＰＬＭＮについて検索をしている。図４Ｃの検索パターンは、バッテリーレベルが、あらかじめ決定された閾値よりも上である場合、または無線デバイスがチャージされている場合のように電力保存が問題でない場合であって、次のＤＲＸサイクルの前に、サービスを提供するセルの信号が劣化する、サービスを提供するセルの再獲得が失敗する、およびデバイスがページを逃す場合を回避するためにチャネル条件が急速に変化している場合に使用されうる。
【００４１】
図４Ｃのタイミング図は、図４Ａおよび４Ｂと同様に、第１のＤＲＸサイクル、Ｔ０をともない、Ｔ０は、無線デバイスがサービングセルを再び獲得し、入ってくるページについてモニタする間の時間周期、ＴＭ１をともない、ＴＭ１の後に、無線デバイスがホームＰＬＭＮのセルについて検索をする間の時間周期、ＴＳ１が続き、ＴＳ１の後に、デバイスが、その回路のほとんどのスイッチをオフにすることによって電力保存モードに入る間の時間周期、ＴＰ１が続く。図４Ｃのタイミング図は、第１のＤＲＸサイクル、Ｔ０がまた、無線デバイスがサービングセルを再び獲得し、入ってくるページについてモニタする間の第２の時間周期、ＴＭ２を含み、ＴＭ２の後に、無線デバイスがホームＰＬＭＮのセルについて検索をする間の第２の時間周期ＴＳ２が続き、ＴＳ２の後に、デバイスが、その回路のほとんどのスイッチをオフにすることによって電力保存モードに入る間の第２の時間周期、ＴＰ２が続くことにおいて図４Ａおよび４Ｂのタイミング図と異なる。図４Ｃにおいて図示されるように、ＴＳ１およびＴＳ２は、等しくない場合がある。図４Ａおよび４Ｂにおけるように、サイクルは、第２のＤＲＸサイクル、Ｔ１において繰り返す。
【００４２】
図３Ａ−３Ｂおよび４Ａ−４Ｃに関して上で議論されたモニタリングおよび検索手順は、チャネル条件を決定する、より一般的な方法に該当する。図５は、図１の無線通信デバイス１００のような電子デバイスにおけるチャネル条件を決定する方法５００のフローチャートである。プロセス５００は、ブロック５１０において、少なくとも１つのチャネルのチャネル条件の第１の周期における周期的な決定をともなう。トランシーバ１６０、モデム１５０、およびプロセッサ１１０の１つ以上は、例えば、アンテナ１７０を通して受信された信号に基づいてチャネル条件を決定しうる。１つの実施形態では、チャネル条件は、特定のチャネルにわたって受信された信号電力を示す値である。他の実施形態では、チャネル条件は、チャネルの信号対雑音比を示す値である。他の実施形態では、チャネル条件は、チャネルが「良い（good）」かどうかまたは「悪い（bad）」かどうかを示すブール条件（Boolean condition）である。この条件は、チャネル上で送信される巡回冗長検査（ＣＲＣ）を分析することによって決定されうる。チャネル条件は、少なくとも１つのチャネルについて決定される。１つの実施形態では、１つ以上のチャネルについてのチャネル条件が決定される。例えば、サービスを提供するセルのチャネルのチャネル条件および近隣のセルのチャネルのチャネル条件は、両方とも、第１の周期ごとに決定されうる。
【００４３】
プロセス５００は、電子デバイスの条件が決定されるブロック５２０に続く。決定は、例えば、プロセッサ１１０によって実行されうる。１つの実施形態では、条件は、ブール条件である。例えば、１つの実施形態では、条件は、電子デバイスが外部の電力ソースから電力を受信しているかどうかを示す。例えば、図１の無線通信デバイス１００が、バッテリーチャージャを通してコンセントまたはシガーライターソケットに接続される場合、条件は、この接続を示しうる。１つの実施形態では、条件は、電子デバイスが、外部の電力ソースから少なくともあらかじめ決定された閾値の量の電力を受信しているかどうかを示す。他の実施形態では、条件は、バッテリーのバッテリーレベルが、あらかじめ決定された閾値より上であるかどうか、または電子デバイスのスピードまたは速度が、あらかじめ決定された閾値より上であるかどうかを示すブール条件である。他の実施形態では、電子デバイスの条件は、電子デバイスにサービスを提供するチャネルが、あらかじめ決定された閾値よりも上の受信信号電力、あらかじめ決定された閾値よりも上の信号対雑音比、またはあらかじめ決定された閾値よりも上の可変性メトリックを有するかどうかを示すブール条件である。さらに他の実施形態では、電子デバイスの条件は、電子デバイスにサービスを提供するチャネルが「良い（good）」チャネルであるかどうかを示すブール条件である。ブール条件は、１ビットのフラグとしてメモリ１２０内に記憶されうる。これは、条件が真（true）である場合に「１」と示され、そうでない場合に「０」と示される。
【００４４】
他の実施形態では、電子デバイスの条件は、非ブール条件である。これは、２以上の計数値（discrete values）または連続値（continuous value）のいずれかをとりうる。例えば、１つの実施形態では、条件は、外部の電力ソースから受信されている電力の量または無線通信デバイス１００のバッテリー１８０のバッテリーチャージレベルを示す。バッテリーチャージレベルおよび、したがって、チャージング条件は、２５％、５０％、７５％、および１００％のような計数値の数のうちの１つによって表されうる。他の実施形態では、条件は、電子デバイスのスピードまたは速度を示す。他の実施形態では、電子デバイスの条件は、電子デバイスにサービスを提供するチャネルに基づき、受信信号電力、信号対雑音比、または可変性メトリックでありうる。可変性メトリックは、チャネル条件が変化している場合に、高い場合があり、チャネル条件が変化していない場合に、低い場合がある。例えば、可変性メトリックは、フィルタされたおよび瞬間の（instantaneous）信号の間のエラーを最小にするように適応させて変化されるフィルタ係数のバリエーションに基づきうる。
【００４５】
次に、ブロック５３０では、第２の周期は、決定された条件に基づいて選択される。１つの実施形態では、プロセッサ１１０は、第２の周期を選択する。第２の周期は、メモリ１２０内に記憶されるルックアップテーブルを使用してプロセッサ１１０によって選択されうる。例えば、第２の周期は、条件が偽（false）である場合、第１の周期と等しいものとして選択されるが、条件が真である場合、第１の周期と異なるものとして選択されうる。他の実施形態では、プロセッサ１００は、条件を入力変数として含む数式を使用して第２の周期を選択する。例えば、周期は、バッテリー１８０のチャージレベルに比例して増加されるまたは減少されうる。
【００４６】
ブロック５３０において決定された第２の周期に基づいて、プロセッサ５００は、第２の周期における少なくとも１つのチャネルのチャネル条件の周期的な決定をともなうブロック５４０に続く。ブロック５４０と関連するステップは、第１の周期とは異なりうる第２の周期である周期性の例外をともなうブロック５１０と関係して上で説明されたように実行されうる。プロセス５００は、電子デバイスの条件が決定されるブロック５２０に戻ることで少なくとも部分的に繰り返す。
【００４７】
図６は、セルについて検索をする方法６００を例示するフローチャートである。方法６００は、ブロック６１０において、電子デバイスのチャージング条件の決定をともなう。決定は、例えば、図１のプロセッサ１１０によって実行されうる。１つの実施形態では、条件は、ブール条件である。例えば、１つの実施形態では、条件は、電子デバイスが外部の電力ソースから電力を受信しているかどうか、バッテリーレベルが、あらかじめ決定された閾値より上であるかを示す。例えば、図１の無線通信デバイス１００が、バッテリーチャージャを通してコンセントまたはシガーライターソケットへ接続される場合、条件は、この接続を示しうる。ブール条件は、１ビットのフラグとしてメモリ１２０内に記憶されうる。これは、条件が真である場合に「１」と示されるか、または条件が偽である場合に「０」と示される。
【００４８】
他の実施形態では、電子デバイスの条件は、非ブール条件である。これは、２つ以上の計数値または連続の値のいずれかをとりうる。例えば、１つの実施形態では、条件は、外部の電力ソースから受信されている電力の量または無線通信デバイス１００のバッテリー１８０のバッテリーチャージレベルを示す。バッテリーチャージレベルおよび、したがって、チャージング条件は、２５％、５０パーセント、７５％、および１００％のような計数値の数のうちの１つによって表されうる。
【００４９】
次に、ブロック６２０では、検索持続時間は、チャージング条件に基づいて決定される。１つの実施形態では、プロセッサ１１０は、検索持続時間を選択する。検索持続時間は、メモリ１２０内に記憶されるルックアップテーブルを使用してプロセッサ１１０によって選択されうる。例えば、検索持続時間は、チャージング条件が偽である場合に第１の持続時間として選択されるが、条件が真である場合に第２の持続時間として選択されうる。他の実施形態では、プロセッサ１００は、チャージング条件を入力変数として含む数式を使用して検索持続時間を選択する。例えば、検索持続時間は、バッテリー１８０のチャージレベルに比例して増加されまたは減少されうる。
【００５０】
ブロック６２０において決定された検索持続時間に基づいて、プロセス６００は、各周期内の検索持続時間の間、あらかじめ決定された周期において、セルについての周期的検索をともなうブロック６３０に続く。すなわち、各あらかじめ決定された周期の間、電子デバイスは、セルについて検索をする検索持続時間と等しい時間の量を費やす。例えば、電子デバイスは、ビジターＰＬＭＮのセルによってサービスを提供されている間にホームＰＬＭＮのセルについて検索をしている場合がある。この場合、あらかじめ決定された周期は、ＤＲＸサイクルでありうる。図４Ｃにおいて例示されるように、検索をすることに費やされた時間の量は、必ずしも連続している必要はない。プロセス６００は、電子デバイスのチャージング条件が決定されるブロック６１０に戻ることで少なくとも部分的に繰り返す。
【００５１】
図７は、セルについて検索をする他の方法７００を例示するフローチャートである。方法７００は、ブロック７１０において、電子デバイスのチャージング条件の決定により開始する。ブロック７１０と関連するステップは、図６のブロック６１０に関係して上記に説明されるように実行されうる。
【００５２】
次に、ブロック７２０において、検索デューティサイクルは、チャージング条件に基づいて決定される。１つの実施形態では、プロセッサ１１０は、検索デューティサイクルを選択する。検索デューティサイクルは、メモリ１２０内に記憶されるルックアップテーブルを使用してプロセッサ１１０によって選択されうる。例えば、検索デューティサイクルは、チャージング条件が偽である場合、第１のデューティサイクルとして選択されうるが、条件が真である場合、第２のデューティサイクルとして選択されうる。他の実施形態では、プロセッサ１００は、チャージング条件を入力変数として含む数式を使用して検索デューティサイクルを選択する。例えば、検索デューティサイクルは、バッテリー１８０のチャージレベルに比例して増加されうるまたは減少されうる。
【００５３】
継続して、ブロック７３０では、第１のセルのページングチャネルは、第１の時間においてモニタされる。ページングチャネルをモニタするために、電子デバイスは、第１のセルを再び獲得する必要がありうる。１つの実施形態では、電子デバイスは、第１のセルのページングチャネルをモニタし、入ってくるページが受信される場合、コールを開始し、アクティブモードに入る。同じ第１の時間において、またはその近くにおいて、電子デバイスはまた、第１のセルのページングチャネルまたは第１のセルの他のチャネルのチャネル条件を決定しうる。
【００５４】
ブロック７５０では、以下で説明されるブロック７４０の後、第１のセルのページングチャネルは、第２の時間において同様にモニタされる。第２の時間は、ＤＲＸサイクルまたは２．５６秒のような第１の時間からのあらかじめ決定された時間でありうる。
【００５５】
２つのモニタリングステップのブロック７３０と７５０との間のブロック７４０において、第２のセルについての検索が、決定されたデューティサイクルにしたがって実行される。例えば、電子デバイスは、ビジターＰＬＭＮのセルによってサービスを提供されている間に、ホームＰＬＭＮのセルについて検索をしうる。第１の時間と第２の時間との間で、検索をすることに費やされた時間の量対スリープすること（または検索することではない）に費やされた時間の量は、デューティサイクルにしたがって決定され、チャージング条件に基づく。図４Ｃにおいて例示されるように、検索することに費やされる時間の量は、必ずしも連続的である必要はない。プロセス７００は、電子デバイスのチャージング条件が決定されるブロック７１０に戻ることで少なくとも部分的に繰り返す。
【００５６】
図８および９は、電子デバイスにおいて電力を保存する方法を例示するフローチャートである。図８および９は、各々電力保存モードを参照する。図２に関係して上で説明されたように、無線通信デバイスは、その回路が使用されていない場合、および使用されることを期待されていない場合、その回路のほとんどをオフにすることによってバッテリー電力を保存しうる。デバイスが第１のセルによってサービスを提供されており、第１のセルもしくは他のセルをモニタするまたは他のセルについて検索をすることを望む場合、特定の回路は、モニタリングまたは検索オペレーションを実行するために電力を供給される必要がある。したがって、デバイスは、特定の回路が電力を供給される非電力保存モードと、特定の回路が電力を供給されない電力保存モードとの間で繰り返す。したがって、デバイスは、非電力保存モードにある間に電力保存モードにある間よりも多い、バッテリーもしくは外部の電力ソースのいずれかまたはその両方からの電力を使用する。
【００５７】
非電力保存モードから電力保存モードに入ることは、特定の回路に電力を供給しないことにより識別可能であるのに対し、非電力保存モードへ電力保存モードを出ることは、特定の回路に電力を供給することにより識別可能である。
【００５８】
図８は、電子デバイスにおいて電力を保存する方法８００を例示するフローチャートである。方法８００は、ブロック８１０において、電子デバイスの条件の決定により開始する。ブロック８１０と関連するステップは、図５のブロック５２０に関係して上で説明されたように実行されうる。
【００５９】
次に、ブロック８２０において、電力保存周期は、決定された条件に基づいて選択される。１つの実施形態では、プロセッサ１１０は、電力保存周期を選択する。電力保存周期は、メモリ１２０内に記憶されるルックアップテーブルを使用してプロセッサ１１０によって選択されうる。例えば、電力保存周期は、条件が偽である場合、第１の時間の周期と等しいものとして選択されるが、条件が真である場合、第２の時間の周期と等しいものとして選択される。他の実施形態では、プロセッサ１００は、条件を入力変数として含む数式を使用して電力保存周期を選択する。例えば、電力保存周期は、バッテリー１８０のチャージレベルに比例して増加されるまたは減少されうる。
【００６０】
継続して、ブロック８３０において、デバイスは、電力保存モードに入り、ブロック８２０において決定された電力保存周期の間、当該モードに残る。電力保存モードに入ることは、ブロック８１０において条件を決定するために使用される電子デバイスの回路に電力を供給しないことを含みうる。決定された電力保存周期が過ぎるまで、回路は、電力を供給されないままである。電子デバイスが再び回路に電力を供給する時点で、プロセスは、ブロック８１０に戻り、回路は、条件を決定するために再び使用される。
【００６１】
図９は、電子デバイスにおいて電力を保存する他の方法を例示するフローチャートである。方法９００は、ブロック９１０において、電子デバイスのチャージング条件の決定により開始する。図６のブロック６１０に関して上で説明されたように、ブロック９１０と関連するステップが実行されうる。
【００６２】
次に、ブロック９２０において、第１の持続時間および第２の持続時間がチャージング条件に基づいて決定される。ここで、第１および第２の持続時間は、あらかじめ決定された持続時間を合計する。第１および第２の持続時間が、あらかじめ決定された持続時間の合計であるので、第１の持続時間または第２の持続時間のうちの１つの選択は、直ちにもう一方を意味する。１つの実施形態では、プロセッサ１１０は、第１および第２の持続時間を選択する。第１の持続時間および第２の持続時間は、メモリ１２０内に記憶されるルックアップテーブルを使用してプロセッサ１１０によって選択されうる。例えば、第１および第２の持続時間は、チャージング条件が偽である場合に第１の値として選択されうるが、条件が真である場合に第２の値として選択されうる。他の実施形態では、プロセッサ１００は、チャージング条件を入力変数として含む数式を使用して第１の持続時間および第２の持続時間を選択する。例えば、第１の持続時間は、バッテリー１８０のチャージレベルに比例して減少されうるのに対し、第２の持続時間は、バッテリーのチャージレベルに比例して増加されうる。
【００６３】
継続して、ブロック９３０では、デバイスは、あらかじめ決定された周期にしたがって、周期的に、第１の持続時間の間電力保存モードにあり、第２の持続時間の間非電力保存モードにある。電力保存モードに入ることは、セルについて検索をするために使用される電子デバイスの回路に電力を供給しないことを含みうるのに対して、非電力保存モードに入ることは、回路に電力を供給することを含む。いくつかの実施形態では、第１の持続時間を合計する間に、電力保存モードにおいて費やされる時間は、電力保存モードにおいて連続的に費やされない。ブロック９３０のあと、方法９００は、プロセスを繰り返すためにブロック９１０に戻る。
【００６４】
図１０は、電子デバイスのある条件に依拠する可能な検索方式を例示する概念的フローチャートである。フローチャートは、電子デバイスがチャージしているか否かが決定されるブロック１０１０において開始する。デバイスがチャージしている場合、フローチャートは、積極的な検索パターンが選択されるブロック１０２０に続くのに対して、デバイスがチャージしていない場合、フローチャートは、保存検索パターンが選択されるブロック１０２５へ続く。積極的および保守的（conservative）な検索パターンが図４Ａ−４Ｃにおいて例示される。
【００６５】
ブロック１０２０から、フローチャートは、電子デバイスが同じサービスタイプのセルまたは異なるサービスタイプのセルについて検索をしているか否かを決定されるブロック１０３０に続く（およびブロック１０２５から、フローチャートは、ブロック１０３５に続く）。ブロック１０２５または１０３５のいずれかから、異なるサービスタイプのセルが検索されている場合、他の条件は考慮されず、プロセスは、積極的な検索を確認するブロック１０４０、または保守的な検索を確認するブロック１０４５のいずれかに移動する。休止中の検索に関連する追加の説明が、本願全体において参照によって本願に組み込まれる、米国特許出願番号12/479,234において説明される。
【００６６】
ブロック１０３０において、同じサービスタイプのセルが検索されていると決定される場合、プロセスは、電子デバイスが高速で移動しているかが決定されるブロック１０５０に移動する。これは、図５のブロック５２０に関して上で説明されたように、速度を、あらかじめ決定された閾値と比較することによって、または適応型のフィルタ係数を分析することによって決定されうる。電子デバイスが高速で移動していると決定される場合、フローチャートは、より高い頻度のウェイクアップが選択されるブロック１０６０に続く。乗り物が高速で移動していないと決定される場合、フローチャートは、より高い頻度のウェイクアップまたはより低い頻度のウェイクアップのいずれかが選択されうるブロック１０６６に続く。電子デバイスは、チャージされているので、より高い頻度でウェイクアップするよう動機付けられるが、高速で移動していないので、より低い頻度でウェイクアップするようにも動機付けされる。したがって、動機付けが制御されるか、または２つの間のバランスが達成されるかのいずれかである。
【００６７】
ブロック１０３５において、同じサービスタイプのセルが検索されていると決定される場合、プロセスは、電子デバイスが高速で移動しているかを決定されるブロック１０５５に移動する。図５のブロック５２０に関係して上で説明されたように、これは、速度を、あらかじめ決定された閾値と比較することによって、または適応型のフィルタ係数を分析することによって決定されうる。電子デバイスが高速で移動していないと決定される場合、フローチャートは、より低い頻度のウェイクアップが選択されるブロック１０６５に続く。乗り物が高速で移動していると決定される場合、フローチャートは、より高い頻度のウェイクアップまたはより低い頻度のウェイクアップのいずれかが選択されるブロック１０６６に移動する。電子デバイスは、チャージされていないので、より低い頻度でウェイクアップするように動機付けられるが、電子デバイスは、高速で移動しているので、より高い頻度でウェイクアップするようにも動機付けられる。したがって、動機付けが制御されるか、または２つの間のバランスが達せられうるかのいずれかである。
【００６８】
詳細な説明は、本発明の特定の事例を説明しているが、当業者は、本発明の概念から逸脱することなく本発明のバリエーションを考案しうる。当業者は、情報および信号は、様々な異なる技術および技法のいずれかを使用して表されうることを理解するだろう。例えば、上記の説明を通して参照されうるデータ、命令、コマンド、情報、信号、ビット、シンボル、およびチップは、電圧、回路、電磁波、磁場または磁粒子、光波動場または光粒子、またはこれらのものの任意の組み合わせによって表されうる。信号および閾値という用語は、信号変調技術に依拠しうる。パルス振幅変調（ＰＡＭ：Pulse Amplitude Modulation）が使用される場合、電圧振幅または信号の電力は、その値を表す。その場合、閾値は、単に電力値である。位相シフトキーイングが使用される場合、受信された信号電圧のサインに変換することができる信号の位相は、信号の値を表しうる。この場合において、信号が複数のシンボルにわたって統合される場合、受信された信号のサインおよび振幅は、ともに信号の値を示す。
【００６９】
当業者は、本願において開示された事例に関して説明された様々な例示的な論理ブロック、モジュール、回路、方法、およびアルゴリズムは、電子的ハードウェア、コンピュータソフトウェア、または両方の組み合わせとして実装されうることをさらに認識するだろう。ハードウェアとソフトウェアのこの互換性を明白に例示するために、様々な例示的なコンポーネント、ブロック、モジュール、回路、方法、およびスアルゴリズムがそれらの機能性の観点から一般に上で説明された。そのような機能性がハードウェアまたはソフトウェアとして実装されるかどうかは、システム全体に課される特定のアプリケーションおよび設計の制約に依拠する。当業者は、各々の特定のアプリケーションについて様々な方法で、説明された機能性を実装することができるが、そのような実装決定は、本発明の範囲から逸脱していると解釈されるべきではない。
【００７０】
本願において開示された事例と関連して説明された様々な例示的論理ブロック、モジュール、および回路は、汎用目的プロセッサ、デジタル信号プロセッサ（ＤＳＰ）、特定用途集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、またはこれらのものの任意の組み合わせであって、本願において説明された機能を実行するように設計されたものによって実装または実行されうる。汎用目的プロセッサは、マイクロプロセッサでありうるが、代替的に、プロセッサは、任意の従来のプロセッサ、コントローラ、マイクロコントローラ、または状態機械でありうる。プロセッサはまた、コンピュータ計算デバイスの組み合わせ（例えば、ＤＳＰとマイクロプロセッサとの組み合わせ、複数のマイクロプロセッサ、ＤＳＰコアと結合した１つまたは複数のマイクロプロセッサ、または任意の他のそのような構成）として実装されうる。
【００７１】
本願において開示された事例と関係して説明された方法またはアルゴリズムは、ハードウェア、プロセッサによって実行されるソフトウェアモジュール、またはその２つの組み合わせにおいて直接具体化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術分野において既知の記憶媒体の任意の他の形式に存在しうる。記憶媒体は、プロセッサが記憶媒体から情報を読み出す、または記録媒体に情報を書き込むことができるように、プロセッサに結合されていてもよい。その代わりに、記録媒体は、プロセッサと一体化されていてもよい。プロセッサおよび記憶媒体は、ＡＳＩＣに存在してもよい。
【００７２】
１つまたは複数の典型的な実施形態では、説明された機能は、ハードウェア、ソフトウェア、ファームウェア、またはこれらのものの任意の組み合わせにおいて実装されうる。ソフトウェアにおいて実装される場合、当該機能は、コンピュータ可読媒体上で1つまたは複数の命令またはコードとして記憶されるまたは送信されうる。コンピュータ可読媒体は、ある場所から別の場所へのコンピュータプログラムの伝送を容易にする任意の媒体を含む通信媒体とコンピュータ記憶媒体の両方を含む。記憶媒体は、汎用目的コンピュータまたは特殊目的コンピュータによってアクセスされることができる任意の利用可能な媒体でありうる。制限ではなく一例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置または他の磁気記憶装置、または汎用目的コンピュータもしくは特殊目的コンピュータまたは汎用目的プロセッサもしくは特殊目的プロセッサによってアクセス可能な命令形式またはデータ構造の手段で所望のプログラムコードを搬送または記憶するために使用されることができる任意の他の媒体を備えることができる。いずれの接続もまたコンピュータ可読媒体と適切に呼ばれる。例えば、ソフトウェアが、同軸ケーブル、光ファイバーケーブル、ツイストペア、デジタル加入者ライン（ＤＳＬ）、または赤外線、ラジオ、およびマイクロウェーブのような無線技術を使用するウェブサイト、サーバ、または他の遠隔ソースから送信される場合、同軸ケーブル、光ファイバーケーブル、ツイストペア、ＤＳＬ、または赤外線、ラジオ、およびマイクロウェーブのような無線技術は、媒体の定義に含まれる。本願において使用されるように、ディスク（diskおよびdisc）は、コンパクトディスク（ＣＤ）、レーザーディスク（登録商標）、光ディスク、デジタルバーサタイルディスク（ＤＶＤ）、フロッピーディスク、およびブルーレイ（登録商標）ディスクを含む。ここで、通常、disksは、磁気的にデータを再生するのに対し、discsは、レーザーにより光学的にデータを再生する。上記の組み合わせもコンピュータ可読媒体の範囲内に含まれるべきである。
【００７３】
開示された事例の以前の説明は、当該技術分野の技術者の誰もが本件発明を作るまたは使用することができるように提供される。これらの事例に対する様々な修正は、当該技術分野の技術者に直ちに明確となり、本件明細書において定義された一般原則は、本件発明の要旨または範囲から逸脱することなく他の事例に適用されることができる。したがって、本件発明は、本件明細書において示される事例に制限されるよう意図されないが、本件明細書において開示された原則および新規の特徴と一致する最も広い範囲を与えられるべきである。
以下に、本願出願の当初の特許請求の範囲に記載された発明を付記する。
［Ｃ１］
電子デバイスにおいてチャネル条件を決定する方法であって、前記方法は、
第１の周期にしたがって、少なくとも１つのチャネルのチャネル条件を周期的に決定することと、
前記電子デバイスの条件を決定することと、
前記電子デバイスの前記決定された条件に少なくとも部分的に基づいて前記第１の周期と異なる第２の周期を選択することと、
前記第２の周期にしたがって、前記少なくとも１つのチャネルの前記チャネル条件を周期的に決定することと
を具備する方法。
［Ｃ２］
前記チャネル条件は、受信された信号電力または信号対雑音比のうちの少なくとも１つを具備する、Ｃ１に記載の方法。
［Ｃ３］
前記少なくとも１つのチャネルは、サービスを提供するセルのチャネルおよび近隣のセルのチャネルを具備する、Ｃ１に記載の方法。
［Ｃ４］
前記決定されたチャネル条件に少なくとも部分的に基づいて前記近隣のセルによるサービスを開始することをさらに具備する、Ｃ３に記載の方法。
［Ｃ５］
前記電子デバイスの前記条件は、前記電子デバイスのスピードを示す、Ｃ１に記載の方法。
［Ｃ６］
前記電子デバイスの前記条件は、前記電子デバイスが外部の電力供給から電力を受信しているかどうかを示す、Ｃ１に記載の方法。
［Ｃ７］
前記条件は、前記電子デバイスのバッテリーチャージレベルを示す、Ｃ１に記載の方法。
［Ｃ８］
前記第２の周期は、前記第１の周期よりも短い、Ｃ１に記載の方法。
［Ｃ９］
少なくとも１つのチャネル上で無線で通信するように構成されるトランシーバと、
第１の周期にしたがって、前記チャネルのうちの少なくとも１つのチャネル条件を周期的に決定し、
前記電子デバイスの条件を決定し、
前記電子デバイスの前記決定された条件に少なくとも部分的に基づいて前記第１の周期と異なる第２の周期を選択し、および
前記第２の周期にしたがって、前記チャネルのうちの少なくとも１つの前記チャネル条件を周期的に決定する
ように構成されるプロセッサと
を具備する電子デバイス。
［Ｃ１０］
前記チャネルのうちの少なくとも１つは、サービスを提供するセルのチャネルおよび近隣のセルのチャネルを具備する、Ｃ９に記載の電子デバイス。
［Ｃ１１］
前記プロセッサは、前記決定されたチャネル条件に少なくとも部分的に基づいて前記トランシーバを通して前記近隣のセルによるサービスを開始するように構成される、Ｃ１０に記載の電子デバイス。
［Ｃ１２］
前記電子デバイスの速度を決定するように構成される速度センサをさらに具備し、前記条件は、前記電子デバイスの前記速度を示す、Ｃ９に記載の電子デバイス。
［Ｃ１３］
前記速度センサは、全地球測位システム（ＧＰＳ）、加速度計、または適応型パイロットフィルタリングモジュールのうちの少なくとも１つを具備する、Ｃ１２に記載の電子デバイス。
［Ｃ１４］
外部の電力供給へ前記電子デバイスを接続するように構成されるジャックをさらに備え、前記電子デバイスの前記条件は、前記電子デバイスが前記外部の電力供給から電力を受信しているかどうかを示す、Ｃ９に記載の電子デバイス。
［Ｃ１５］
外部の電力供給から電磁波を通して電力を無線で受信するための電力インターフェースをさらに具備し、前記電子デバイスの前記チャージング条件は、前記電子デバイスが前記外部の電力供給から電力を受信しているかどうかを示す、Ｃ９に記載の電子デバイス。
［Ｃ１６］
バッテリーをさらに具備し、前記電子デバイスの前記条件は、前記電子デバイスのバッテリーチャージレベルを示す、Ｃ９に記載の電子デバイス。
［Ｃ１７］
第１の周期にしたがって、少なくとも１つのチャネルのチャネル条件を周期的に決定するための手段と、
前記電子デバイスの条件を決定するための手段と、
前記電子デバイスの前記決定された条件に少なくとも部分的に基づいて前記第１の周期と異なる第２の周期を選択するための手段と、
前記第２の周期にしたがって、前記少なくとも１つのチャネルの前記チャネル条件を周期的に決定するための手段と
を具備する電子デバイス。
［Ｃ１８］
１つまたは複数のプロセッサによって実行されるとき、電子デバイスにおいてチャネル条件を決定する方法をコンピュータに実行させる命令を記憶するコンピュータ可読媒体であって、前記方法は、
第１の周期にしたがって、少なくとも１つのチャネルのチャネル条件を周期的に決定することと、
前記電子デバイスの条件を決定することと、
前記電子デバイスの前記決定された条件に少なくとも部分的に基づいて前記第１の周期と異なる第２の周期を選択することと、
前記第２の周期にしたがって、前記少なくとも１つのチャネルの前記チャネル条件を周期的に決定することと
を具備する、コンピュータ可読媒体。
［Ｃ１９］
セルについて検索をする方法であって、前記方法は、
電子デバイスのチャージング条件を決定することと、
前記チャージング条件に少なくとも部分的に基づいて検索持続時間を選択することと、
あらかじめ決定された周期にしたがって、各周期内で前記検索持続時間の間セルについて周期的に検索をすることと
を具備する方法。
［Ｃ２０］
前記あらかじめ決定された周期にしたがって、サービスを提供するセルのチャネルを周期的にモニタすることをさらに具備する、Ｃ１９に記載の方法。
［Ｃ２１］
前記サービスを提供するセルは、より好ましくないネットワークと関連付けられ、前記セルは、より好ましいネットワークと関連付けられる、Ｃ２０に記載の方法。
［Ｃ２２］
前記電子デバイスの前記チャージング条件は、前記電子デバイスが外部の電力供給から電力を受信しているかどうかを示す、Ｃ１９に記載の方法。
［Ｃ２３］
検索持続時間を選択することは、前記電子デバイスが前記外部の電力供給から前記電力を受信している場合、第１の持続時間を選択すること、前記電子デバイスが前記外部の電力供給から前記電力を受信していない場合、第２の持続時間を選択することとを具備し、前記第１の持続時間は、前記第２の持続時間よりも大きい、Ｃ２２に記載の方法。
［Ｃ２４］
前記検索持続時間の間セルについて検索をすることは、第１のサブ持続時間および非連続の第２のサブ持続時間の間前記セルについて検索をすることを具備する、Ｃ１９に記載の方法。
［Ｃ２５］
セルと無線で通信するように構成されるトランシーバと、
前記電子デバイスのチャージング条件を決定し、
前記チャージング条件に少なくとも部分的に基づいて検索持続時間を選択し、
あらかじめ決定された周期にしたがって、各周期内で前記検索持続時間の間前記セルについて周期的に検索をする
ように構成されるプロセッサと
を具備する電子デバイス。
［Ｃ２６］
前記プロセッサは、前記あらかじめ決定された周期にしたがって、サービスを提供するセルのチャネルを周期的にモニタするようにさらに構成される、Ｃ２５に記載の電子デバイス。
［Ｃ２７］
前記サービスを提供するセルは、より好ましくないネットワークと関連付けられ、前記セルは、より好ましいネットワークと関連付けられる、Ｃ２６に記載の電子デバイス。
［Ｃ２８］
前記より好ましいネットワークの表示を記憶するように構成されるスマートカードをさらに備える、Ｃ２７に記載の電子デバイス。
［Ｃ２９］
前記電子デバイスを外部の電力供給に接続するように構成されるジャックをさらに具備し、前記電子デバイスの前記チャージング条件は、前記電子デバイスが前記外部の電力供給から電力を受信しているかどうかを示す、Ｃ２５に記載の電子デバイス。
［Ｃ３０］
前記プロセッサは、前記電子デバイスが前記外部の電力供給から前記電力を受信している場合、第１の持続時間を選択し、前記電子デバイスが前記外部の電力供給から前記電力を受信していない場合、第２の持続時間を選択するように構成され、前記第１の持続時間は、前記第２の持続時間より大きい、Ｃ２９に記載の電子デバイス。
［Ｃ３１］
前記電子デバイスのチャージング条件を決定するための手段と、
前記チャージング条件に少なくとも部分的に基づいて検索持続時間を選択するための手段と、
あらかじめ決定された周期にしたがって、各周期内で前記検索持続時間の間セルについて周期的に検索をするための手段と
を具備する、電子デバイス。
［Ｃ３２］
チャージング条件を決定するための前記手段は、プロセッサ、バッテリー、または電力インターフェースのうちの少なくとも１つを具備し、
前記選択するための手段は、プロセッサまたはメモリのうちの少なくとも１つを具備し、
前記周期的に検索をするための手段は、プロセッサ、トランシーバ、またはアンテナのうちの少なくとも１つを具備する、Ｃ３１に記載の電子デバイス。
［Ｃ３３］
１つまたは複数のプロセッサによって実行されるとき、セルについて検索をする方法をコンピュータに実行させる命令を記憶するコンピュータ可読媒体であって、前記方法は、
電子デバイスのチャージング条件を決定することと、
前記チャージング条件に少なくとも部分的に基づいて検索持続時間を選択することと、
あらかじめ決定された周期にしたがって、各周期内で前記検索持続時間の間セルについて周期的に検索することと
を具備する、コンピュータ可読媒体。
【図１】
0005925694.tif 000002
【図２】
0005925694.tif 000003
【図３Ａ】
0005925694.tif 000004
【図３Ｂ】
0005925694.tif 000005
【図４Ａ】
0005925694.tif 000006
【図４Ｂ】
0005925694.tif 000007
【図４Ｃ】
0005925694.tif 000008
【図５】
0005925694.tif 000009
【図６】
0005925694.tif 000010
【図７】
0005925694.tif 000011
【図８】
0005925694.tif 000012
【図９】
0005925694.tif 000013
【図１０】
0005925694.tif 000014